(57)【要約】【課題】紙幣４の透かし部を高信頼性で識別する紙幣鑑別装置を実現する。【解決手段】搬送ベルト３ａ，３ｂで搬送される紙幣の面上の例えば中央部を搬送方向ＡＲに走る測定ラインが通過する経路上の所定局部領域としての検出点Ｐに向け、点Ｐにおける紙幣面に対し所定の勾配を持って照射光Ｌ１を入射する発光素子５と、紙幣を挟んで発光素子と対向し紙幣の透過光Ｌ２の光量を検出する受光素子６と、紙幣への入射面の凹凸に応じた照射光の反射光Ｌ３の光軸変位を検出する受光素子単体７ａ〜７ｅからなるアレイ状受光位置検出素子７とを設け、鑑別対象紙幣について受光素子による透過光受光量の変化から検出点が透かし部にあると判別したうえ、この時の透過光受光量および受光素子単体７ａ〜７ｅの検出した反射光の光軸変位（従って凹凸量）と、予め真券について求めた、それぞれ対応する透過光受光量および反射光光軸変位とを比較し、当該紙幣の真偽を判定する。【選択図】        図１
2005004601.tif 000002
【特許請求の範囲】
【請求項１】
その面に沿って搬送される鑑別対象の紙葉類を、該紙葉類の面上の搬送方向に走る所定の測定対象の線（以下測定ラインという）に沿い走査して該紙葉類の真偽を鑑別する方法であって、
前記紙葉類の搬送によって前記測定ラインが通過する経路上の所定の局部領域としての検出点に向けて、該検出点における前記紙葉類の面に対し所定の勾配を持って照射光を入射する発光手段と、
前記紙葉類を挟んで該発光手段と対向し、前記照射光の前記紙葉類を透過した透過光の光量を検出する受光手段と、
前記照射光の前記紙葉類への入射面の凹凸に応じた該照射光の反射光の光軸の変位を検出する光軸変位検出手段とを設け、
鑑別対象の紙葉類について前記受光手段の検出した透過光の受光量および前記光軸変位検出手段の検出した反射光の光軸変位と、予め真の紙葉類について求めた、それぞれ対応する透過光受光量および反射光光軸変位とを比較し、当該の鑑別対象の紙葉類の真偽を判定することを特徴とする紙葉類鑑別方法。
【請求項２】
請求項１に記載の紙葉類鑑別方法において、
前記光軸変位検出手段が、前記検出点において前記紙葉類の面に直交し前記照射光の光軸を含む面内にほぼ位置し、前記反射光の光軸の変位を弁別して受光するようにアレイ状に配列された複数個の単位受光手段を備えてなることを特徴とする紙葉類鑑別方法。
【請求項３】
請求項１または２に記載の紙葉類鑑別方法において、
前記紙葉類の搬送に伴う前記透過光受光量の変化を利用して、前記検出点が当該紙葉類の透かし領域にあることを判別することを特徴とする紙葉類鑑別方法。
【請求項４】
請求項３に記載の紙葉類鑑別方法において、
鑑別対象の紙葉類について前記検出点が該紙葉類の透かし領域にあると判別したときに求めた前記透過光受光量および反射光光軸変位のそれぞれの前記測定ラインに沿う一連の測定データと、予め真の紙葉類から求めたそれぞれ対応する一連の測定データとの差分をとり、当該の鑑別対象の紙葉類の真偽を判定することを特徴とする紙葉類鑑別方法。
【請求項５】
請求項１ないし４のいずれかに記載の紙葉類鑑別方法において、前記紙葉類を紙幣としたことを特徴とする紙葉類鑑別方法。
【請求項６】
請求項１ないし５のいずれかに記載の紙葉類鑑別方法を用いた紙葉類鑑別装置。
【発明の詳細な説明】
【０００１】
【発明の属する技術分野】
本発明は例えば自動販売機に搭載される紙幣鑑別装置などに適用される、紙幣や有価証券等の紙葉類の透かし部を読み取ってこれら紙葉類の真偽を鑑別する紙葉類鑑別方法およびこの方法を用いた紙葉類鑑別装置に関する。
なお、以下各図において同一の符号は同一もしくは相当部分を示す。
【０００２】
【従来の技術】
近年、カラーコピー、カラー印刷等の技術進歩により紙幣や有価証券等の紙葉類が偽造される危険性が増大している。また、紙幣や有価証券等は自動販売機、ＡＴＭ等に組み込まれた鑑別装置により自動的に取り扱いされる機会も多い。
このような紙葉類には磁気記録が特に一般的に広く用いられているが、磁気記録の解明により偽造や変造の被害が多くなっている。
そこで、市場ではいかに精巧な印刷手段によっても複製すること困難なセキュリティ技術が求められており、従来、いろいろな手段が用いられている。その代表例として「透かし」がある。
【０００３】
透かしは、用紙の製造工程でパルプの繊維が結合する前に外力を加えて紙層に凸凹を作る、あるいは紙を漉く時に針金等を用いて紙層内に繊維の粗密を作ることで形成される。
これは、通常の反射光では視認不可能であるが、光にかざすことにより透過光では、濃淡の階調をもった人物、建物等の画像が現れることで簡単に真偽鑑別することができる。
以上のような透かしの特徴を利用した紙葉類鑑別方法として、例えば、▲１▼紙幣の透かしパターンを透過光及び反射光をそれぞれ利用した２つの光学的読取り手段にて読取り、双方の読取りデータ同士を比較することにより紙幣の真贋を識別する方法（特許文献１参照）、▲２▼透過光で撮像した画像の濃淡階調を画像処理し、この処理で得た画像情報をあらかじめ用意した真券の情報と比較する手法、▲３▼透過光の光量（強度）を測定する方法などが知られている。
【０００４】
【特許文献１】
特開平６−２０３２４４号公報
【０００５】
【発明が解決しようとする課題】
しかしながら、透かしの特徴を利用した上記▲１▼の紙葉類鑑別方法では、透かしパターン部分の透過光および反射光のデータ双方の一致、不一致を比較するため、例えば、紙幣の透かしパターンを正確に再現しない稚拙な偽造の透かしパターンを施した紙を貼り付けただけでも真券と鑑定してしまう可能性がある。
また上記▲２▼の紙葉類鑑別方法、つまり、透過光による濃淡画像を処理してマスタ画像と比較する方法では、一瞬の間に撮像画像の濃淡を画像処理しマスタ画像と比較する必要があるため、それを実現するために処理能力が高い処理装置が必要であり装置が高価になるという問題がある。
【０００６】
また上記▲３▼の紙葉類鑑別方法、つまり、透過光量を測定する方法では、色調の薄い印刷などによる偽造券を、その印刷部分の透過光量が大きいことから透かしを持つものと誤判別する可能性がある。
本発明はこれらの問題を解消し、透かし部の透過光量と凸凹量とを測定して真券の対応するデータと比較することにより、高い信頼性で紙葉類を識別する紙葉類鑑別方法及び装置を提供することを課題とする。
【０００７】
【課題を解決するための手段】
前記の課題を解決するために、請求項１の紙葉類鑑別方法は、
その面に沿って（搬送面Ｓ上を搬送ベルト３ａ，３ｂなどを介し）搬送される鑑別対象の紙葉類（紙幣４など）を、該紙葉類の面上の搬送方向（ＡＲ）に走る所定の測定対象の線（ＭＬ、以下測定ラインという）に沿い走査して該紙葉類の真偽を鑑別する方法であって、
前記紙葉類の搬送によって前記測定ラインが通過する経路上の所定の局部領域としての検出点（Ｐ）に向けて、該検出点における前記紙葉類の面に対し所定の勾配を持って照射光（Ｌ１）を入射する発光手段（発光素子５）と、
前記紙葉類を挟んで該発光手段と対向し、前記照射光の前記紙葉類を透過した透過光（Ｌ２）の光量を検出する受光手段（受光素子６）と、
前記照射光の前記紙葉類への入射面の凹凸（透かし凹部８ａ、透かし凸部８ｂ）に応じた該照射光の反射光（Ｌ３）の光軸の変位を検出する光軸変位検出手段（アレイ状受光位置検出素子７など）とを設け、
鑑別対象の紙葉類について前記受光手段の検出した透過光の受光量および前記光軸変位検出手段の検出した反射光の光軸変位と、予め真の紙葉類について求めた、それぞれ対応する透過光受光量および反射光光軸変位とを比較し、当該の鑑別対象の紙葉類の真偽を判定するようにする。
【０００８】
また請求項２の紙葉類鑑別方法は、請求項１に記載の紙葉類鑑別方法において、
前記光軸変位検出手段が、前記検出点において前記紙葉類の面に直交し前記照射光の光軸を含む面内にほぼ位置し、前記反射光の光軸の変位を弁別して受光するようにアレイ状に配列された複数個の単位受光手段（受光素子単体７ａ〜７ｅ）を備えてなるようにする。
また請求項３の紙葉類鑑別方法は、請求項１または２に記載の紙葉類鑑別方法において、
前記紙葉類の搬送に伴う前記透過光受光量の変化を利用して、前記検出点が当該紙葉類の透かし領域（透かし部８）にあることを判別するようにする。
【０００９】
また請求項４の紙葉類鑑別方法は、請求項３に記載の紙葉類鑑別方法において、
鑑別対象の紙葉類について前記検出点が該紙葉類の透かし領域にあると判別したときに求めた前記透過光受光量および反射光光軸変位のそれぞれの前記測定ラインに沿う一連の測定データと、予め真の紙葉類から求めたそれぞれ対応する一連の測定データとの差分をとり、当該の鑑別対象の紙葉類の真偽を判定するようにする。
また請求項５の紙葉類鑑別方法は、請求項１ないし４のいずれかに記載の紙葉類鑑別方法において、前記紙葉類を紙幣（４）とする。
【００１０】
また請求項６の紙葉類鑑別装置は、請求項１ないし５のいずれかに記載の紙葉類鑑別方法を用いたものとする。
本発明の作用は以下の如くである。即ち、
鑑別対象の紙葉類の搬送時に、この紙葉類の面上の搬送方向に走る所定の測定ラインＭＬが通過する経路上の所定の局部領域としての検出点Ｐに向けて、該検出点における前記紙葉類の面に対し所定の勾配を持って照射光Ｌ１を入射する発光素子５と、
前記紙葉類を挟んで該発光素子５と対向し、前記照射光の前記紙葉類を透過した透過光Ｌ２の光量を検出する受光素子６と、
照射光Ｌ１の前記紙葉類への入射面の凹凸に応じた該照射光の反射光Ｌ３の光軸の変位を検出して入射面の凹凸量を測定する光軸変位検出手段としてのアレイ状受光位置検出素子７とを設け、
鑑別対象の紙葉類について、前記測定ラインＭＬに沿い受光素子６の検出した透過光Ｌ２の受光量およびアレイ状受光位置検出素子７により測定された凹凸量と、予め真の紙葉類について求めた、それぞれ対応する透過光受光量および凹凸量とを比較し、鑑別対象の紙葉類の真偽を高い信頼性をもって判定する（請求項１）。
【００１１】
また、反射光を受ける前記光軸変位検出手段としてのアレイ状受光位置検出素子７を前記検出点Ｐにおいて前記紙葉類の面に直交し照射光Ｌ１の光軸を含む面内にほぼ位置し、反射光Ｌ３の光軸の変位を弁別して受光するようにアレイ状に配列された複数個の受光素子単体７ａ〜７ｅ等で形成することにより、紙葉類の凹凸部で反射した光の到達位置から凹凸量を逆算できるようにし、さらに、受光素子単体の個数を増やせば印刷紙葉類の凹凸量の判別できる分解能を高め得るようにする（請求項２）。
また、真偽鑑別するアルゴリズムとして、紙葉類の搬送に伴う前記透過光受光量の変化を利用して、前記検出点Ｐが当該紙葉類の透かし部８にあることを判別するようにし（請求項３）、鑑別対象の紙葉類について検出点Ｐが該紙葉類の透かし部８にあると判別したときに求めた前記透過光受光量および反射光光軸変位のそれぞれの前記測定ラインに沿う一連の測定データと、予め真の紙葉類から求めたそれぞれ対応する一連の測定データとの差分をとって比較することにより、比較するデータ量を多くして、より信頼性の高い鑑別ができるようにする（請求項４）。
【００１２】
【発明の実施の形態】
以下に本発明の実施形態を紙幣鑑別装置を例に説明する。
図１は本発明の一実施例としての紙幣鑑別装置の検出部の構成を示す概念図である。図１においては、紙幣４の搬送機能部分が、検出部入口側のローラ１ａ，１ｂと、検出部出口側のローラ２ａ，２ｂと、ローラ１ａ，２ａを両端として駆動される搬送ベルト３ａと、ローラ１ｂ，２ｂを両端として駆動される搬送ベルト３ｂとで構成されている。
そして、紙幣４はその両面の両縁部を搬送ベルト３ａと３ｂとで挟まれ保持されて検出部入口側（図１の左側）から検出部出口側（図１の右側）へ搬送される。
【００１３】
本発明の主眼となる検出部は、本例では搬送ベルト３ａ，３ｂによる紙幣４の搬送路の中間部に設けられており、紙幣４の面上の搬送方向ＡＲに向けて走る、後述の測定ラインＭＬ（図５参照）を含み紙幣４の搬送面Ｓに垂直な面内に配置された発光素子５、受光素子６、アレイ状受光位置検出素子７からなる。
ここで発光素子５は、紙幣４の測定ラインＭＬが通過する経路上の所定の局部領域としての検出点Ｐに向けて、紙幣４の搬送面Ｓに垂直な方向Ｎに対して所定の角度θをなす方向より照射光Ｌ１を照射させるＬＥＤ等からなり、受光素子６は発光素子５と紙幣４を挟むように対向して紙幣４を透過した透過光Ｌ２の量を測定するフォトダイオード等からなる。
【００１４】
また、アレイ状受光位置検出素子７は発光素子５からの照射光Ｌ１が検出点Ｐの紙幣４の面上で反射した反射光Ｌ３が到達する位置に、紙幣搬送方向ＡＲと同じ方向にフォトカプラ等の受光素子単体７ａ〜７ｅをアレイ状に複数個並べて構成されている。
図２ないし図４は検出対象の紙幣４の透かしの各種のモデルと鑑別装置の検出部の動作との関係を示す拡大図である。ここで、紙幣４の透かし部８は紙幣の基準厚みｔの部分と、基準厚みｔに対して凹んだ部分である透かし凹部８ａと、同じく基準厚みｔに対して突出した部分である透かし凸部８ｂとで形成されているものとする。
【００１５】
次に図２〜図４を説明する。図２は発光素子５より紙幣４に照射された照射光Ｌ１が紙幣４の透かし部８の基準厚みｔの部分に入射した場合を示す。この場合、照射光Ｌ１の反射光Ｌ３はアレイ状に並んだ受光位置検出素子７を構成する受光素子単体７ｃに到達する一方、紙幣４を透過した透過光Ｌ２は紙幣４を挟んで発光素子５と対向している受光素子６で受光される。
図３は発光素子５より紙幣４に照射された照射光Ｌ１が紙幣４の透かし部８の基準厚みｔより薄い凹部８ａに入射した場合を示す。この場合、照射光Ｌ１は紙幣４の厚みの減少に対応する長さ分だけ光路長が増えて反射面の位置が変わり、反射光Ｌ３のアレイ状受光位置検出素子７への到達点は紙幣４の進行方向ＡＲの方向にずれる。このため、反射光Ｌ３は受光素子単体７ｄで受光され、透かし凹部８ａがさらに深い場合は受光素子単体７ｅで受光されることになる。
【００１６】
また、紙幣４からの透過光Ｌ２は受光素子６で受光され、その光量は紙幣４の厚みの薄い部分である透かし凹部８ａ部を通過するため、基準厚みｔ部分を通過する場合より大きくなる。
図４は発光素子５より紙幣４に照射された照射光Ｌ１が紙幣４の透かし部８の基準厚みｔより厚い凸部８ｂに入射した場合を示す。この場合、照射光Ｌ１は紙幣４の厚みの増加に対応する長さ分だけ光路長が減って反射面の位置が変わり、反射光Ｌ３のアレイ状受光位置検出素子７への到達点は紙幣４の進行方向ＡＲと逆の方向にずれる。このため、反射光Ｌ３は受光素子単体７ｂで受光され、透かし凸部８ｂがさらに厚い場合は受光素子単体７ａで受光されることになる。
【００１７】
また、紙幣４からの透過光Ｌ２は受光素子６で受光され、その光量は紙幣４の厚みの厚い部分である透かし凸部８ｂを通過するため、基準厚みｔ部分を通過する場合より小さくなる。
以上から、アレイ状受光位置検出素子７の各受光素子単体７ａ〜７ｅの出力と、紙幣４を挟んで対向して設置される受光素子６の出力の大小とにより、透かしの凹凸が判定できる。つまり、紙幣の透かしの凹凸と透過光量を判断して偽造券、真券の正しい判別を行うことができる。
例えば、透かしが押し型等で形成されて紙幣が偽造された場合、厚みが薄い部分は紙の密度が高く、他の部分と同じ透過光量となり真券とは違う出力パターンが現れ判別ができる。また、色調の薄い印刷により偽造された場合、反射する光の到達する位置のずれをみることで透かし部分の凹凸の有無を検知することができ、真券の出力パターンと比較して判別ができる。
【００１８】
図５は紙幣４の測定ラインＭＬが検出部の前記検出点Ｐを通過する場合の紙幣４の検知位置と、受光素子６および受光素子単体７ａ〜７ｅの出力との関係の実施例を示す。
ここで、図５（ａ）は紙幣４の模式的な印刷パターンと紙幣検知位置（座標）ｘとの関係の例を示し、測定ラインＭＬは紙幣４の搬送方向ＡＲに向けて走る、紙幣４の面上の凹凸を走査測定するラインで、本例では紙幣４の中央を走っている。紙幣検知位置（座標）ｘはこの測定ラインＭＬ上の位置を示し、ここでは、紙幣４の始端および終端をそれぞれｘ１およびｘ４とし、透かし部８の始端および終端をそれぞれｘ２およびｘ３としている。
【００１９】
また、図５（ｂ）は紙幣４を挟んで発光素子５と対向し透過光Ｌ２を受光する受光素子６の受光量と紙幣検知位置（座標）ｘとの関係を示し、図５（ｃ）〜（ｇ）はそれぞれ反射光Ｌ３を捉えるアレイ状受光位置検出素子７の各受光素子単体７ａ〜７ｅの受光量と紙幣検知位置（座標）ｘとの関係を示している。
図５（ｂ）に示す透過光Ｌ２の受光量は、紙幣４の測定ラインＭＬが発光素子５と受光素子６の間の前記検出点Ｐを通過する期間（つまり紙幣検知位置ｘの紙幣始端ｘ１から紙幣終端ｘ４までの区間）以外は、光路を遮るものは無く受光素子６の受光量が大きい。紙幣が検出点Ｐを通過し始めると、光路が遮られるため受光量は小さくなる。そして、紙幣の透かし部８が検出点Ｐを通過するとき（つまり、紙幣検知位置ｘの透かし始端ｘ２から透かし終端ｘ３までの区間）に再び受光量が大きくなるため、この透過光量の変化を利用してトリガをかけ、透かし部８の測定データを取り出すことができる。
【００２０】
なお場合によっては、透過光量の変化から紙幣４の始端ｘ１が検出点Ｐを通過した時点を検出すると共に、この時点から透かし部８の始端ｘ２、終端ｘ３が検出点Ｐを通過するまでの搬送時間を予め求めて置くことで、鑑別対象の紙幣の始端ｘ１が検出点Ｐを通過した時点からの経過時間を見て検出点Ｐが透かし部８内にある期間を推定し、透かし部８の測定データを取り出すこともできる。
図５（ｃ）〜（ｇ）に示す各受光素子単体７ａ〜７ｅの反射光Ｌ３の受光量については、透かし部８内の基準厚みｔ部分で反射した場合、光は受光素子単体７ｃで受光され、この素子単体７ｃで出力が発生する。基準厚みｔより薄い透かし凹部８ａで反射した場合、光は受光素子単体７ｄで受光され，さらに薄い場合は受光素子単体７ｅで受光される。
【００２１】
また、基準厚みｔより厚い透かし凸部８ｂで反射した場合、光は受光素子単体７ｂで受光され、さらに厚い場合は受光素子単体７ａで受光される。
このようにして、図１のように検出部を配置した場合には、透かし部８の薄い場合は紙幣４での反射光は紙幣の排出側にずれ、厚い場合は紙幣の入口側にずれる。
このように透かし部８の凹凸量に応じてアレイ状受光位置検出素子７の各受光素子単体７ａ〜７ｅに出力が発生するため、これらの出力情報を透かし部８の凹凸量の情報に変換することが可能となる。
【００２２】
図６はアレイ状受光位置検出素子７の各受光素子単体７ａ〜７ｅより得られる出力情報から変換して求めた鑑別対象の紙幣４の透かし部８の凹凸量の紙幣検知位置ｘ別の変化を真券と対比した例を示し、同図（ａ）は鑑別対象の紙幣の透かし部８の凹凸量を、同図（ｂ）は真券の透かし部８の凹凸量を、同図（ｃ）は同図（ａ）と（ｂ）の凹凸量の差分を示す。
図６（ａ）、（ｂ）においては、アレイ状受光位置検出素子７の各受光素子単体の出力が、受光素子単体７ａにある場合は２δ、受光素子単体７ｂにある場合はδ、受光素子単体７ｃにある場合は０、受光素子単体７ｄにある場合は−δ、受光素子単体７ｅにある場合は−２δとしている。
【００２３】
この実施例では、アレイ状受光位置検出素子７は５個の受光素子単体７ａ〜７ｅで構成されているが、実際には分解能を上げるためアレイ状受光位置検出素子７はさらに多くの受光素子単体を用いて構成される。
なお、図６（ｂ）に示す真券の紙幣４の透かし部８の凹凸量は予め測定を行って、紙幣鑑別機の情報処理装置内にメモリされている。そして、鑑別対象の紙幣の透かし部８の凹凸量のデータが情報処理装置内に伝送された時点で、鑑別対象紙幣の凹凸量データと真券の凹凸量データ（マスタデータとも呼ぶ）との比較を行う。
【００２４】
図６（ｃ）は鑑別対象紙幣の透かし部８の凹凸量データと真券紙幣の透かし部８の凹凸量データ（マスタデータ）との差分のデータを示す。本発明では情報処理装置内に伝送された鑑別対象の紙幣の凹凸量データと、真券の凹凸量データ（マスタデータ）との差分をとり、差分値の絶対値を紙幣検知位置ｘの別に積分する。そしてこの差分値の絶対値の積分値が統計的に求めた目標のしきい値以下となるか否かを判別する。
また、同様に得られた透かし部８の透過光量データに関しても、真券の透過光量データ（マスタデータ）との差分をとり、この差分値の絶対値の積分値が目標のしきい値以内となるか否かを判別する。そして透かし部８についての鑑別対象紙幣の凹凸量データおよび透過光量データと、この各データにそれぞれ対応する真券の凹凸量のマスタデータおよび透過光量のマスタデータとのそれぞれの差分値の絶対値の積分値が共に各目標しきい値以内である場合、鑑別対象の紙幣が真券であるとみなす。
【００２５】
以上のことから、紙幣の偽造に対して高いセキュリティが得られる「透かし」の真偽の判別が行え、信頼性の高い紙幣鑑別装置を実現することができる。
【００２６】
【発明の効果】
本発明によれば、鑑別対象の紙葉類の搬送時に、この紙葉類の面上の搬送方向に走る所定の測定ラインＭＬが通過する経路上の所定の局部領域としての検出点Ｐに向けて、該検出点Ｐにおける前記紙葉類の面に対し所定の勾配を持って照射光Ｌ１を入射する発光素子５と、
前記紙葉類を挟んで発光素子５と対向し、照射光Ｌ１の前記紙葉類を透過した透過光Ｌ２の光量を検出する受光素子６と、
照射光Ｌ１の前記紙葉類への入射面の凹凸に応じた該照射光Ｌ１の反射光Ｌ３の光軸の変位を検出して入射面の凹凸量を測定する光軸変位検出手段としての（受光素子単体７ａ〜７ｅからなる）アレイ状受光位置検出素子７とを設け、
鑑別対象の紙葉類について、前記測定ラインＭＬに沿い受光素子６の検出した透過光Ｌ２の受光量およびアレイ状受光位置検出素子７により測定された凹凸量と、予め真の紙葉類について求めた、それぞれ対応する透過光受光量および凹凸量とを比較して鑑別対象の紙葉類の真偽を判定するようにし（請求項１）、
また、反射光Ｌ３を受ける前記光軸変位検出手段としてのアレイ状受光位置検出素子７を前記検出点Ｐにおいて前記紙葉類の面に直交し照射光Ｌ１の光軸を含む面内にほぼ位置し、反射光Ｌ３の光軸の変位を弁別して受光するようにアレイ状に配列された複数個の受光素子単体７ａ〜７ｅ等で形成して、紙葉類の凹凸部で反射した光の到達位置から凹凸量を逆算できるようにし（請求項２）、
また、真偽鑑別するアルゴリズムとして、紙葉類の搬送に伴う前記透過光受光量の変化を利用して、前記検出点Ｐが当該紙葉類の透かし部８にあることを判別するようにし（請求項３）、鑑別対象の紙葉類について検出点Ｐが該紙葉類の透かし部８にあると判別したときに求めた前記透過光受光量および凹凸量（反射光光軸変位）のそれぞれの前記測定ラインＭＬに沿う一連の測定データと、予め真の紙葉類から求めたそれぞれ対応する一連の測定データとの差分をとって比較するようにしたので（請求項４）、以下の効果を得ることができる。
【００２７】
（１）鑑別対象の紙葉類が型の押し付けにより偽造された場合、厚みが薄い部分は紙の密度が高く、他の部分と同じ透過光量となり、透過光量と表面の凹凸に相関する光量との関係が真券と異なることで偽造券であることが判別できる。
（２）鑑別対象の紙葉類が、透かし部を色調の薄い印刷にして偽造された場合、アレイ状の受光素子単体７ａ〜７ｅで測定した反射光の到達位置の変化が少なく（つまり凹凸が小さく）真券と異なることで偽造券と判別できる。
（３）鑑別対象の紙葉類のその他の偽造に対しても、測定ライン上の透かし部の一連の透過光量データと同じく透かし部の表面の一連の凸凹量データとを同時に測定し、多くのデータ量で比較して真偽判定するため、高い信頼性で透かしを識別できる高セキュリティの紙葉類鑑別装置を実現することができる。
【図面の簡単な説明】
【図１】本発明の一実施例としての紙幣鑑別装置の要部の構成を示す概念図
【図２】図１における透かしモデルの基準厚み部の検出動作を示す拡大説明図
【図３】図１における透かしモデルの凹部の検出動作を示す拡大説明図
【図４】図１における透かしモデルの凸部の検出動作を示す拡大説明図
【図５】本発明の一実施例としての紙幣の検知位置と、受光素子および各アレイ状受光素子単体の出力との関係を示す図
【図６】本発明の一実施例としての各アレイ状受光素子単体の出力から求めた鑑別対象紙幣の透かし部の凹凸量の紙幣検知位置別の変化を真券と対比した図
【符号の説明】
１ａ，１ｂ      検出部入口側ローラ、
２ａ，２ｂ      検出部出口側ローラ、
３ａ，３ｂ      搬送ベルト、
４              紙幣、
５              発光素子、
６              受光素子、
７              アレイ状受光位置検出素子、
７ａ〜７ｅ      受光素子単体
８              透かし部
８ａ            透かし凹部
８ｂ            透かし凸部
ＡＲ            搬送方向
Ｌ１            照射光
Ｌ２            透過光
Ｌ３            反射光
ＭＬ            測定ライン
Ｐ              検出点
Ｓ              搬送面
【図１】
2005004601.tif 000003
【図２】
2005004601.tif 000004
【図３】
2005004601.tif 000005
【図４】
2005004601.tif 000006
【図５】
2005004601.tif 000007
【図６】
2005004601.tif 000008